(57)【要約】【課題】船底に振動子専用の孔を開けることなく船体内側から振動子を簡単に取り付けることができるとともに、取り付けられた振動子の受信感度を落とすことなく使用することができる魚群探知機用振動子の取付構造を提供すること。【解決手段】海水を導入及び排出するため連通孔１１を船体２の底部に形成して成る生け簀５を備えた小型船舶の船体２に魚群探知機用振動子７を取り付けるための構造として、前記魚群探知機用振動子７を収納保持するケース１４を前記生け簀５の連通孔１１に嵌着されたスカッパー１３に船体２（生け簀５）の内側から着脱可能に取り付ける。【選択図】図２
2007331507.tif 000002
【特許請求の範囲】
【請求項１】
海水を導入及び排出するため連通孔を船体底部に形成して成る生け簀を備えた小型船舶の船体に魚群探知機用振動子を取り付けるための構造であって、
前記魚群探知機用振動子を収納保持するケースを前記生け簀の連通孔に船体内側から着脱可能に取り付けることを特徴とする魚群探知機用振動子の取付構造。
【請求項２】
前記ケースは、これが前記生け簀の連通孔に取り付けられた状態で、前記魚群探知機用振動子をその送受信面が略鉛直下方に向くよう収納保持することを特徴とする請求項１記載の魚群探知機用振動子の取付構造。
【請求項３】
前記ケースに、前記生け簀の連通孔に係合する複数の係合部を形成し、該係合部の少なくとも１つを連通孔の径方向に移動可能に構成するとともに、該移動可能な係合部を移動させる移動手段を設けたことを特徴とする請求項１又は２記載の魚群探知機用振動子の取付構造。
【請求項４】
前記移動手段を、前記移動可能な係合部に螺合するノブボルトで構成したことを特徴とする請求項３記載の魚群探知機用振動子の取付構造。
【請求項５】
前記生け簀の連通孔に樹脂製のフィルタを被着したことを特徴とする請求項１〜４の何れかに記載の魚群探知機用振動子の取付構造。
【発明の詳細な説明】
【技術分野】
【０００１】
本発明は、小型船舶の船体に魚群探知機用振動子を取り付けるための取付構造に関するものである。
【背景技術】
【０００２】
釣り用ボート等の小型船舶には、超音波によって魚群を検知するための魚群検知機が設けられているが、この魚群検知機は、超音波を送受信する振動子と、該振動子の受信データを表示する表示部等で構成されている。
【０００３】
ここで、魚群探知機を搭載した小型船舶を図７及び図８に示す。
【０００４】
図７は小型船舶の側断面図、図８は図７のＢ−Ｂ線断面図であり、図示の小型船舶１０１の船体１０２は、デッキ１０３とハル１０４とを接合一体化して構成されており（小型船舶の船体構造に関しては例えば特許文献１参照）、魚群探知機１０６の表示部１０９は、例えば図示のようにブリッジ１０８の上部に取り付けられるが、振動子１０７は、図７に示すようにハル１０４の船底部１０４ａやトランサム部１０２ａに取り付けられる。
【０００５】
上述のように振動子１０７をハル１０４の船底部１０４ａに取り付ける方法には２つあり、第１の方法は、図８に示すようにハル１０４の船底部１０４ａに形成された凹状のインナーハル１０４ｂに振動子１０７を取り付けてインナーハル１０４ｂの内部に充填剤１２３を満たす方法であり、第２の方法は、ハル１０４の船底部１０４ａに孔を開け、その孔に振動子１０７を通してこれを船底部１０４ａに直接取り付ける方法である。
【０００６】
又、振動子１０７を船体のトランサム部１０２ａに取り付ける方法は、図７に示すように、トランサム部１０２ａに専用のブラケット１２４を取り付け、このブラケット１２４に振動子１０７を取り付ける方法である（例えば特許文献２参照）。
【特許文献１】特開２００１−２０６２７７号公報
【特許文献２】特開平６−１８１６６８号公報
【発明の開示】
【発明が解決しようとする課題】
【０００７】
ところが、振動子１０７をハル１０４の船底部１０４ａに取り付ける方法のうちの前記第１の方法、つまりインナーハル１０４ｂに振動子１０７を取り付けてインナーハル１０４ｂの内部に充填剤１２３を満たす方法では、ハル１０４の船体部１０４ａに孔を開けることなく簡単に振動子１０７を取り付けることができる反面、振動子１０７の受信感度が低下するという問題がある。又、前記第２の方法、つまりハル１０４の船底部１０４ａに孔を開け、その孔に振動子１０７を通してこれを船底部１０４ａに直接取り付ける方法では、振動子１０７に高い受信感度を確保することができる反面、ハル１０４の船底部１０４ａに孔を開けるために振動子１０７の取り付けに専門の知識を要する他、水漏れの可能性があるという問題がある。
【０００８】
更に、船体１０２のトランサム部１０２ａに振動子１０７を取り付ける方法では、水漏れや振動子１０７の感度の低下等の問題は生じない反面、取付方法によっては気泡をかみ易く、振動子１０７を桟橋等の障害物にぶつけて損傷させる可能性がある等の問題がある。
【０００９】
本発明は上記問題に鑑みてなされたもので、その目的とする処は、船底に振動子専用の孔を開けることなく船体内側から振動子を簡単に取り付けることができるとともに、取り付けられた振動子の受信感度を落とすことなく使用することができる魚群探知機用振動子の取付構造を提供することにある。
【課題を解決するための手段】
【００１０】
上記目的を達成するため、請求項１記載の発明は、海水を導入及び排出するため連通孔を船体底部に形成して成る生け簀を備えた小型船舶の船体に魚群探知機用振動子を取り付けるための構造として、前記魚群探知機用振動子を収納保持するケースを前記生け簀の連通孔に船体内側から着脱可能に取り付けることを特徴とする。
【００１１】
請求項２記載の発明は、請求項１記載の発明において、前記ケースは、これが前記生け簀の連通孔に取り付けられた状態で、前記魚群探知機用振動子をその送受信面が略鉛直下方に向くよう収納保持することを特徴とする。
【００１２】
請求項３記載の発明は、請求項１又は２記載の発明において、前記ケースに、前記生け簀の連通孔に係合する複数の係合部を形成し、該係合部の少なくとも１つを連通孔の径方向に移動可能に構成するとともに、該移動可能な係合部を移動させる移動手段を設けたことを特徴とする。
【００１３】
請求項４記載の発明は、請求項３記載の発明において、前記移動手段を、前記移動可能な係合部に螺合するノブボルトで構成したことを特徴とする。
【００１４】
請求項５記載の発明は、請求項１〜４の何れかに記載の発明において、前記生け簀の連通孔に樹脂製のフィルタを被着したことを特徴とする。
【発明の効果】
【００１５】
請求項１記載の発明によれば、小型船舶の生け簀に既に設けられいる連通孔を利用し、この連通孔に、魚群探知機用振動子を収納保持するケースを船体内側から着脱可能に取り付けるようにしたため、船底に振動子専用の孔を開けることなく船体内側から振動子をワンタッチで簡単に取り付けることができる。又、取り付けられた振動子が送受信する超音波を遮る障害物が無いため、該振動子をその受信感度を落とすことなく使用することができる。
【００１６】
請求項２記載の発明によれば、ケースは、これが生け簀の連通孔に取り付けられた状態で、魚群探知機用振動子をその送受信面が略鉛直下方に向くよう収納保持するため、振動子には常に高い感度が確保される。又、ケースを変更することによって、船底が水平な船舶から船体が傾斜している船舶まで本発明を適用することができ、高い汎用性が確保される。
【００１７】
請求項３記載の発明によれば、振動子の取り付けに際して、ケースを、これに形成された複数の係合部が生け簀の連通孔に係合するよう船体内側から嵌め込んだ後、移動手段によって少なくとも１つの係合部を径方向外方へ移動させて連通孔の内周部に押圧すれば、ケースが連通孔に確実に固定されるため、振動子を作業性良く簡単に取り付けることができる。
【００１８】
請求項４記載の発明によれば、移動手段であるノブボルトを回せば、これに螺合する係合部が径方向に移動してケースを生け簀の連通孔に固定するため、特殊な工具を用いることなく振動子を作業性良く簡単に取り付けることができる。
【００１９】
請求項５記載の発明によれば、生け簀の連通孔に被着されたフィルタによって生け簀内へのゴミ等の異物の侵入が防がれるとともに、フィルタを樹脂製とすることによって超音波の反射を防いで振動子に高い検出精度を確保することができる。因に、フィルタが金属製である場合には、超音波がフィルタで反射するために振動子に高い検出精度を期し難い。
【発明を実施するための最良の形態】
【００２０】
以下に本発明の実施の形態を添付図面に基づいて説明する。
【００２１】
図１は小型船舶の側断面図、図２は図１のＡ−Ａ線断面図、図３はケースの取付要領を示す断面図、図４は小型船舶に設けられた生け簀の斜視図、図５はケースの縦断面図、図６は同ケースの底面図である。
【００２２】
図１に示す小型船舶１は漁船であって、その船体２は、デッキ３とその下部のハル４とを接合一体化して構成されており、その長さ方向中間部には、捕獲した魚を生かした状態で入れておくための生け簀５が設けられている。そして、この小型船舶１には、超音波によって魚群を検知するための魚群探知機６が搭載されており、この魚群探知機６は、本発明に係る取付構造によって生け簀５の底部に取り付けられた振動子７とブリッジ８の上部に取り付けられた表示部９とを通信線１０によって接続して構成されている。
【００２３】
ところで、小型船舶１の船体２の長さ方向中間部に設けられた前記生け簀５は、図４に示すように、上面が開口する矩形ボックス状の容器であって、その底壁５ａは横断面Ｖ字状を成すハル４の船底部４ａの一部で構成されている。そして、この生け簀５の横断面Ｖ字状を成す底壁５ａには、当該生け簀５に海水を導入するための円孔状の連通孔１１と、生け簀５内の海水を外部に排出するための連通孔１２が形成されており、これらの連通孔１１，１２からの海水の出入りによって生け簀５には常に新鮮な海水が循環する。
【００２４】
而して、図２及び図３に示すように、生け簀５の底壁５ａに開口する前記連通孔１１には略円筒状のスカッパー１３が嵌着されており、このスカッパー１３に、前記魚群探知機６の振動子７を収容保持して成る円形ボックス状のケース１４が内側から着脱可能に取り付けられる。ここで、スカッパー１３は、樹脂にて一体に形成されており、その底部には、生け簀５の底壁５ａから斜め下方へ突出する円筒状の海水取込用ガイド１３ａが一体に形成されており、この海水取込用ガイド１３ａの内側には、スカッパー１３の開口部を覆うようにメッシュ状のフィルタ１３ｂが一体に形成されている。
【００２５】
次に、前記ケース１４の構成の詳細を図５及び図６に基づいて説明する。
【００２６】
ケース１４は、円板状の下ケース１４Ｂの上部に円錐台状の上ケース１４Ａを被着して構成されており、上ケース１４Ａの上壁１４ａは、図２に示すハル４の船底部４ａ（生け簀５の底壁５ａ）の傾斜角θと同角度だけ水平面に対して傾斜している。そして、この上ケース１４Ａの上壁１４ａには振動子７から延びる通信線１０を通すための円孔１４ｂが形成されており、上ケース１４Ａの側壁１４ｃには海水が通過するための開口部１４ｄが形成されている。
【００２７】
又、上ケース１４Ａの上壁１４ａの内面２箇所からは円柱状の支柱１４ｅが鉛直下方に向かって一体に突設されており、上ケース１４Ａの外周の一部には段状の台座部１４ｆが一体に形成されている。
【００２８】
他方、下ケース１４Ｂの下面には、円弧曲面状に成形された２つの係合爪１４ｇが下方に向かって一体に突設されており、各係合爪１４ｇの外面にはシール部材１５が取り付けられている。又、下ケース１４Ｂには、図６に示すように、矩形の開口部１４ｈとこれに連なる円孔１４ｉが形成されるとともに、開口部１４ｈに沿って径方向（図５及び図６の左右方向）に移動可能な係合爪１６が保持されている。この移動可能な係合爪１６は、前記係合爪１４ｇと同様に円弧曲面状に成形され、その外面にはシール部材１５が取り付けられている。
【００２９】
ところで、上ケース１４Ａの前記台座部１４ｆの裏面側にはガイド部材１７が左右２本のビス１８によって水平に取り付けられており、移動可能な前記係合爪１６は、その中間段部が下ケース１４Ｂの上面に移動可能に支持されるとともに、その上面が前記ガイド部材１７によって移動可能にガイドされている。そして、上ケース１４Ａに形成された前記台座部１４ｆの幅方向中心には円孔１４ｊが貫設されており、この円孔１４ｊにはノブボルト１９のネジ部１９ａが貫通しており、このネジ部１９ａは、移動可能な前記係合爪１６のケース１４内に臨む上部に螺合している。尚、ノブボルト１９の操作ノブ１９ｂはケース１４外に露出している。
【００３０】
以上の構成を有するケース１４内には魚群検知器６の振動子７が収容保持されるが、この振動子７は、ケース１４を組み立てる前、つまり上ケース１４Ａを下ケース１４Ｂに被着する前に上ケース１４Ａに内側から取り付けられる。即ち、図５に示すように、振動子７から延びる通信線１０が内部に通されたコネクタ２０を上ケース１４Ａの円孔１４ｂに内側から通して振動子７を上ケース１４Ａの上壁１４ａの内面に密着させ、上ケース１４Ａから露出するコネクタ２０に螺合するナット部材２１を締め付けることによって振動子７が上ケース１４Ａの上壁１４ａの内面に密着した状態で上ケース１４Ａに取り付けられる。
【００３１】
次に、振動子７が取り付けられた上ケース１４Ａを下ケース１４Ｂに上から被せると、該上ケース１４Ａに突設された２つの支柱１４ｅが図５に示すように下ケース１４Ｂの上面に当接するため、下ケース１４Ｂに下側から挿通する２本のビス２２を各支柱１４ｅにそれぞれ締め付ければ、上ケース１４Ａが下ケース１４Ｂに取り付けられてボックス状のケース１４が組み立てられ、このケース１４内に振動子７が収容されて固定されることとなる。
【００３２】
而して、ケース１４に収容固定された振動子７は、ケース１４を生け簀５の連通孔１１に船体２の内側から組み付けることによって船体２の底部に容易に取り付けられる。
【００３３】
即ち、図３に示すように、ケース１４を係合爪１４ｇ，１６を下にして生け簀５の内部を連通孔１１に向かって図示矢印方向に移動させ、図２に示すように、３つの係合爪１４ｇ，１６をスカッパー１３の内周面に嵌め込んでケース１４をスカッパー１３に組み込む。尚、このとき、移動可能な係合爪１６を径方向内方に移動させ、３つの係合爪１４ｇ，１６がスカッパー１３の内周部に容易に嵌め込まれるようにしておく。
【００３４】
次に、ノブボルト１９の操作ノブ１９ｂを回してネジ部１９ａを回転させ、このネジ部１９ａに螺合する係合爪１６を径方向外方へと移動させれば、該係合爪１６がスカッパー１３の内周面に押圧されるため、ケース１４は図２に示す状態でスカッパー１３に確実に固定され、該ケース１４に収容固定された振動子７がケース１４と共にスカッパー１３に取り付けられる。尚、このとき、３つの係合爪１４ｇ，１６の外面に取り付けられたシール部材１５がスカッパー１３の内周面に密着するため、ケース１４がスカッパー１３に一層強固に取り付けられる。又、ノブボルト１９を逆方向に回して係合爪１６を径方向内方に移動させれば、該係合爪１６のスカッパー１３との係合が解除されるため、ケース１４を振動子７と共にスカッパー１３から簡単に取り外すことができる。
【００３５】
ところで、前述のように上ケース１４Ａの上壁１４ａは、図２に示すハル４の船底部４ａ（生け簀５の底壁５ａ）の傾斜角θと同角度だけ水平面に対して傾斜しているため、ケース１４がスカッパー１３に取り付けられた状態では、該ケース１４の上カバー１４Ａの上壁１４ａに取り付けられた振動子７は、その送受信面が略鉛直下方に向くこととなり、該振動子７には常に高い感度が確保される。尚、ケース１４を変更することによって、つまり上ケース１４Ａの上壁１４ａの傾斜角θを変更することによって、船底が水平な船舶から船底が傾斜している船舶に至るまで、任意の船舶に対して振動子７をその送受信面が略鉛直下方に向くよう取り付けることができ、本発明の取付構造に高い汎用性が確保される。
【００３６】
以上のように、本実施の形態によれば、小型船舶１の生け簀５に既に設けられている連通孔１１を利用し、この連通孔１１に嵌着されたスカッパー１３に、魚群探知機６の振動子７を収納保持するケース１４を生け簀５の内側から着脱可能に取り付けるようにしたため、船底に振動子専用の孔を開ける必要がなく、開口部が広い生け簀５の内側から振動子７をワンタッチで簡単に取り付けることができ、取付作業性が著しく高められる。
【００３７】
又、取り付けられた振動子７が送受信する超音波を遮る障害物が無いため、該振動子７をその受信感度を落とすことなく使用することができる。特に、スカッパー１３の開口部を覆うフィルタ１３ｂを樹脂製としたため、超音波のフィルタ１３ｂでの反射を防いで振動子７に高い検出精度を確保することができる。因に、フィルタ１３ｂが金属製である場合には、超音波がフィルタ１３ｂで反射するために振動子７に高い検出精度を期し難い。尚、フィルタ１３ｂによって生け簀５内へのゴミ等の異物の侵入が防がれるとともに、振動子７も保護される。
【００３８】
更に、ケース１４のスカッパー１３への取り付けに際しては、ケース１４の係合爪１４ｇ，１６をスカッパー１３に嵌め込んだ後にノブボルト１９を回せば、これのネジ部１９ａに螺合する係合爪１６が径方向に移動してケース１４をスカッパー１３に固定することができるため、特殊な工具を用いることなく振動子７を作業性良く簡単に取り付けることができる。
【図面の簡単な説明】
【００３９】
【図１】小型船舶の側断面図である。
【図２】図１のＡ−Ａ線断面図である。
【図３】ケースの取付要領を示す断面図である。
【図４】小型船舶に設けられた生け簀の斜視図である。
【図５】ケースの縦断面図である。
【図６】ケースの底面図である。
【図７】魚群探知機用振動子の取付構造の従来例を示す小型船舶の側断面図である。
【図８】図７のＢ−Ｂ線断面図である。
【符号の説明】
【００４０】
１          小型船舶
２          船体
３          デッキ
４          ハル
４ａ        ハルの船底部
５          生け簀
５ａ        生け簀の底壁
６          魚群探知機
７          振動子
８          ブリッジ
９          表示部
１０        通信線
１１，１２  連通孔
１３        スカッパー
１３ａ      海水取込用ガイド
１３ｂ      フィルタ
１４        ケース
１４Ａ      上ケース
１４Ｂ      下ケース
１４ａ      上ケースの上壁
１４ｂ      上ケースの円孔
１４ｃ      上ケースの側壁
１４ｄ      上ケースの開口部
１４ｅ      上ケースの支柱
１４ｆ      上ケースの台座部
１４ｇ      係合爪（係合部）
１４ｈ      下ケースの開口部
１４ｉ      下ケースの円孔
１４ｈ      台座部の円孔
１５        シール部材
１６        係合爪（係合部）
１７        ガイド部材
１８        ビス
１９        ノブボルト（移動手段）
１９ａ      ノブボルトのネジ部
１９ｂ      ノブボルトの操作ノブ
２０        コネクタ
２１        ナット部材
２２        ビス
【図１】
2007331507.tif 000003
【図２】
2007331507.tif 000004
【図３】
2007331507.tif 000005
【図４】
2007331507.tif 000006
【図５】
2007331507.tif 000007
【図６】
2007331507.tif 000008
【図７】
2007331507.tif 000009
【図８】
2007331507.tif 000010